(57)【要約】【課題】電気泳動表示装置のコントラスト特性を向上させること。【解決手段】画素電極と共通電極との相互間に電気泳動層を介在させてなる電気泳動素子を含む画素部を複数有する表示部と、上記共通電極及び上記画素電極の各々と接続された制御部と、を備える電気泳動表示装置である。上記制御部は、（ａ）上記共通電極の電位よりも上記画素電極の電位が相対的に高い状態とする第１の電圧書き込みと、上記共通電極の電位よりも上記画素電極の電位が相対的に低い状態とする第２の電圧書き込みと、を１回以上行った後に、（ｂ）画像データに応じた第３の電圧書き込みを行うこと、を周期的に複数回繰り返す制御を行う。上記第１の電圧書き込みを行う時間の合計値Ｔ１と上記第２の電圧書き込みを行う時間の合計値Ｔ２との関係が１．５×Ｔ２＞Ｔ１＞０．８×Ｔ２と規定される。【選択図】  図４
2008225100.tif 000002
【特許請求の範囲】
【請求項１】
画素電極と共通電極との相互間に電気泳動層を介在させてなる電気泳動素子と、一方端子が前記共通電極と接続される容量素子と、を含む画素部を複数有する表示部と、
前記共通電極及び前記画素電極の各々と接続された制御部と、
を備え、
前記電気泳動層は、
前記共通電極と前記画素電極との間に配置された３０μｍ〜６０μｍの範囲の直径を有するカプセルと、平均粒径が０．１μｍ〜０，８μｍの範囲内であって第１の帯電状態であり前記カプセルに包含される第１の粒子と、平均粒径が０．０２〜０．１μｍの範囲内であって第２の帯電状態であり前記カプセルに包含される第２の粒子と、
を含み、
前記制御部は、
（ａ）前記共通電極の電位よりも前記画素電極の電位が相対的に高い状態とする第１の電圧書き込みと、前記共通電極の電位よりも前記画素電極の電位が相対的に低い状態とする第２の電圧書き込みと、を少なくとも１回以上行い、
（ｂ）次に、前記共通電極には基準電位を与え、かつ前記画素電極の各々には前記基準電位より大きい電位又は前記基準電位以下の電位の何れかを与える第３の電圧書き込みを行うこと、
を周期的に複数回繰り返す制御を行い、
前記制御の際における前記第１の電圧書き込みを行う時間の合計値Ｔ１と前記第２の電圧書き込みを行う時間の合計値Ｔ２との関係が１．５×Ｔ２＞Ｔ１＞０．８×Ｔ２と規定された、
電気泳動表示装置。
【請求項２】
前記第１の粒子が酸化チタン粒子であり、かつ前記第１の帯電状態が負に帯電した状態であり、
前記第２の粒子がカーボンブラック粒子であり、かつ前記第２の帯電状態が正に帯電した状態である、
請求項１に記載の電気泳動表示装置。
【請求項３】
前記（ａ）及び前記（ｂ）を周期的に繰り返すときの周期が１０秒間と規定された、
請求項１に記載の電気泳動表示装置。
【請求項４】
画素電極と共通電極との相互間に電気泳動層を介在させてなる電気泳動素子と、一方端子が前記画素電極と接続される容量素子と、を含む画素部を複数有する表示部を備え、前記電気泳動層は、前記共通電極と前記画素電極との間に配置された３０μｍ〜６０μｍの範囲の直径を有するカプセルと、平均粒径が０．１μｍ〜０，８μｍの範囲内であって第１の帯電状態であり前記カプセルに包含される第１の粒子と、平均粒径が０．０２〜０．１μｍの範囲内であって第２の帯電状態であり前記カプセルに包含される第２の粒子と、を含む電気泳動表示装置の駆動方法であって、
（ａ）前記共通電極の電位よりも前記画素電極の電位が相対的に高い状態とする第１の電圧書き込みと、前記共通電極の電位よりも前記画素電極の電位が相対的に低い状態とする第２の電圧書き込みと、を少なくとも１回以上行うこと、
（ｂ）前記共通電極には基準電位を与え、かつ前記画素電極の各々には前記基準電位より大きい電位又は前記基準電位以下の電位の何れかを与える第３の電圧書き込みを行うこと、
を周期的に複数回繰り返す制御を行い、このときにおける前記第１の電圧書き込みを行う時間の合計値Ｔ１と前記第２の電圧書き込みを行う時間の合計値Ｔ２との関係が１．５×Ｔ１＞Ｔ２＞０．８×Ｔ１と規定されている、
電気泳動表示装置の駆動方法。
【請求項５】
請求項１乃至請求項３のいずれか１項に記載の電気泳動表示装置を表示部として備えた電子機器。
【発明の詳細な説明】
【技術分野】
【０００１】
本発明は、電気泳動表示装置とその駆動方法並びに当該電気泳動表示装置を備える電子機器に関する。
【背景技術】
【０００２】
アクティブマトリクス型の電気泳動表示装置に於いて、駆動電圧を必要以上に高くせず、また誤書き換えを生じることのない駆動方法が提案されている（特許文献１参照）。この駆動方法によれば、表示内容の変更を行う際に、まず、共通電極を第一の電圧とした状態で画素電極を全て同電位（第二の電圧）として、共通電極と画素電極間に電位差を与え、表示内容を表示領域全体に渡って消去する。このときの階調を第一の階調とする。次に、共通電極を第二の電圧とした状態で、所望の画素電極に第一の電圧を、それ以外の画素電極には第二の電圧を印加する。画素電極に第一の電圧を印加した画素では、共通電極との間に電位差が発生し、表示が第一の階調から第二の階調に変化する。第二の電圧を印加した画素では、共通電極との間に電位差は発生しないので、表示は第一の階調のままである。
【０００３】
しかし、上記したような従来の電気泳動表示装置においては、比較的に短い周期（例えば、数秒間〜数十秒間程度）で画像書き込みを繰り返し行った際に、時間経過に伴ってコントラスト特性が低下するという不具合が生じる場合があった。このような不具合は、例えば電子ブックに組み込まれる電気泳動表示装置のように、表示画像を比較的頻繁に切り替える必要のある電気泳動表示装置において顕著であり、改良が望まれていた。
【０００４】
【特許文献１】特開２００２−１４９１１５号公報
【発明の開示】
【発明が解決しようとする課題】
【０００５】
そこで、本発明は、画像書き込みを周期的に繰り返し行った場合においても良好なコントラスト特性を得られる電気泳動表示装置を提供することを１つの目的とする。
【課題を解決するための手段】
【０００６】
本発明に係る電気泳動表示装置は、
画素電極と共通電極との相互間に電気泳動層を介在させてなる電気泳動素子と、一方端子が上記画素電極と接続される容量素子と、を含む画素部を複数有する表示部と、
上記共通電極及び上記画素電極の各々と接続された制御部と、
を備え、上記電気泳動層が、上記共通電極と上記画素電極との間に配置された３０μｍ〜６０μｍの範囲の直径を有するカプセルと、平均粒径が０．１μｍ〜０，８μｍの範囲内であって第１の帯電状態であり上記カプセルに包含される第１の粒子と、平均粒径が０．０２〜０．１μｍの範囲内であって第２の帯電状態であり上記カプセルに包含される第２の粒子と、を含む。
そして、上記制御部が、（ａ）上記共通電極の電位よりも上記画素電極の電位が相対的に高い状態とする第１の電圧書き込みと、上記共通電極の電位よりも上記画素電極の電位が相対的に低い状態とする第２の電圧書き込みと、を少なくとも１回以上行い、（ｂ）次に、上記共通電極には基準電位を与え、かつ上記画素電極の各々には上記基準電位より大きい電位又は上記基準電位以下の電位、の何れかを与える第３の電圧書き込みを行うこと、を周期的に複数回繰り返す制御を行い、このときにおける上記第１の電圧書き込みを行う時間の合計値Ｔ１と上記第２の電圧書き込みを行う時間の合計値Ｔ２との関係が１．５×Ｔ２＞Ｔ１＞０．８×Ｔ２と規定されている。
【０００７】
本発明に係る電気泳動表示装置の駆動方法は、
画素電極と共通電極との相互間に電気泳動層を介在させてなる電気泳動素子と、一方端子が上記画素電極と接続される容量素子と、を含む画素部を複数有する表示部を備え、上記電気泳動層は、上記共通電極と上記画素電極との間に配置された３０μｍ〜６０μｍの範囲の直径を有するカプセルと、平均粒径が０．１μｍ〜０，８μｍの範囲内であって第１の帯電状態であり上記カプセルに包含される第１の粒子と、平均粒径が０．０２〜０．１μｍの範囲内であって第２の帯電状態であり上記カプセルに包含される第２の粒子と、を含む電気泳動表示装置を駆動する方法である。
そして、（ａ）上記共通電極の電位よりも上記画素電極の電位が相対的に高い状態とする第１の電圧書き込みと、上記共通電極の電位よりも上記画素電極の電位が相対的に低い状態とする第２の電圧書き込みと、を少なくとも１回以上行うこと、（ｂ）上記共通電極には基準電位を与え、かつ上記画素電極の各々には上記基準電位より大きい電位又は上記基準電位以下の電位、の何れかを与える第３の電圧書き込みを行うこと、を周期的に複数回繰り返す制御を行い、このときにおける上記第１の電圧書き込みを行う時間の合計値Ｔ１と上記第２の電圧書き込みを行う時間の合計値Ｔ２との関係が１．５×Ｔ２＞Ｔ１＞０．８×Ｔ２と規定されている。
【０００８】
本発明では、実験により得られた知見に基づき、第１の電圧書き込みの総時間と第２の電圧書き込みの総時間との関係を上記のように規定して各々の電圧書き込みを少なくとも１回以上行い、その後に第３の電圧書き込み（画像書き込みに対応）を行うようにする。これにより、画像書き込みを周期的に繰り返し行った場合においても良好なコントラスト特性を得られる電気泳動表示装置又はその駆動方法が提供される。
【０００９】
上記第１の粒子としては、例えば酸化チタン粒子を採用し得る。このとき、上記第１の帯電状態は例えば負に帯電した状態である。上記第２の粒子としては、例えばカーボンブラック粒子を採用し得る。このとき、上記第２の帯電状態は例えば正に帯電した状態である。
【００１０】
上記（ａ）及び上記（ｂ）を周期的に繰り返すときの周期は、例えば１０秒間と規定することができる。
【００１１】
上記（ａ）において、第１の電圧書き込み及び第２の電圧書き込みのそれぞれを行う回数は、例えば４回に設定できる。
【００１２】
また、本発明に係る電子機器は、上述した電気泳動表示装置を表示部として備える。この電子機器としては、例えばディスプレイ装置、テレビジョン装置、電子ブック、電子ペーパ、時計、電卓、携帯電話、携帯情報端末等が挙げられる。また、例えば可撓性のある紙状／フィルム状の物体、これら物体が貼り付けられた壁面等の不動産に属するもの、車両、飛行体、船舶等の移動体に属するものも本明細書においては「電子機器」の概念に含まれるものとする。
【発明を実施するための最良の形態】
【００１３】
以下、本発明の実施の形態について図面を参照して説明する。
【００１４】
図１は、電気泳動表示装置の全体構成を示すブロック図である。図１に示す電気泳動表示装置１００は、パネル部１１０、走査線駆動回路１３０、データ線駆動回路１４０、共通電極制御回路１５０、を含んで構成される。パネル部１１０は、ｍ行の走査線１０１と、これらの走査線１０１と交差して配列されたｎ列のデータ線１０２と、走査線１０１とデータ線１０２との各交差点に対応して配置される画素部１０９と、を含んで構成される。各画素部１０９は、トランジスタ１０３、電気泳動素子１０４、容量素子１０８を含んで構成される。各画素部１０９はマトリクス状に配列されている。電気泳動表示装置１００には周辺回路としてのコントローラ１９０が接続されている。このコントローラ１９０は画像信号処理回路およびタイミングジェネレータを含んでいる。ここで、画像信号処理回路は、画像データ及び共通電極制御データを生成し、それぞれ及びデータ線駆動回路１４０及び共通電極制御回路１５０に入力する。共通電極制御回路１５０は、電気泳動素子１０４の共通電極に共通電極信号ＣＯＭを供給する。また、タイミングジェネレータは、リセット設定や画像データが画像信号処理回路から出力されるときに、走査線駆動回路１３０やデータ線駆動回路１４０を制御するための各種タイミング信号を生成する。なお、上述のトランジスタ１０３、走査線駆動回路１３０、データ線駆動回路１４０及び共通電極制御回路１５０が本発明における「制御部」に相当する。
【００１５】
図２は、電気泳動表示装置の構造を説明する模式断面図である。電気泳動素子１０４は、画素電極１０５と、共通電極１０６と、これらの間に配置される電気泳動層（電気泳動材料）１０７と、を含んで構成されている。各画素部の間で共有される共通電極１０６には、共通電極信号ＣＯＭが与えられる。なお、共通電極１０６は各電気泳動素子１０４ごとに分離されていてもよい。本実施形態では、電気泳動層１０７の状態（換言すれば表示状態）が共通電極１０６側から視認されることを想定しており、共通電極１０６としてはＩＴＯ（Indium Tin Oxide）膜等の透明導電膜が用いられる。
【００１６】
電気泳動層１０７は、白色粒子と黒色粒子とを含有する多数のカプセル（マイクロカプセル）を含んで構成される。各カプセルは図示のように画素電極１０５と共通電極１０６との間に配置されており、３０μｍ〜６０μｍの範囲の直径を有する。白色粒子（第１の粒子）は、例えば酸化チタン粒子であり、平均粒径が０．１μｍ〜０，８μｍの範囲内であって、負に帯電している（第１の帯電状態）。黒色粒子（第２の粒子）は、例えばカーボンブラック粒子であり、平均粒径が０．０２〜０．１μｍの範囲内であって、正に帯電している（第２の帯電状態）。この電気泳動層１０７の様子を図２において模式的に示す。図示のように本実施形態では、画素電極１０５の電位が共通電極１０６の電位よりも相対的に高い場合（ＨＩ）には、正に帯電した黒色粒子が共通電極１０６側へ移動し、負に帯電した白色粒子が画素電極１０５側へ移動する。この状態の画素部を共通電極１０６側から見ると黒色と認識される。また、画素電極１０５の電位が共通電極１０６の電位よりも相対的に低い場合（ＬＯ）には、正に帯電した黒色粒子が画素電極１０５側へ移動し、負に帯電した白色粒子が共通電極１０６側へ移動する。この状態の画素部を共通電極１０６側から見ると白色と認識される。つまり、本実施形態の電気泳動表示装置１００は、基本的には白黒の２値表示を行うものであるが、近隣の複数の画素部を組み合わせて階調表示を行うようにすることもできる。なお、電気泳動層１０７の各粒子に施される色調は黒色および白色の組み合わせに限定されず、各粒子の帯電の状態についても上記に限定されない。また、画素電極１０５と共通電極１０６のいずれの側から視認するように構成してもよい。すなわち、これらの条件は適宜変更して実施することができる。
【００１７】
図３は、各画素部の詳細構成を示す回路図である。スイッチング素子としてのトランジスタ１０３は、ゲートが走査線１０１に接続され、ソースがデータ線１０２に接続され、ドレインが画素電極１０５に接続されている。容量素子１０８は、その一方端子が画素電極１０５と接続され、他方端子が接地端子（接地電位）ＧＮＤとの間に接続されている。走査線１０１には走査信号Ｙ１が与えられる。走査信号Ｙ１とは第１行の走査線１０１に対応する走査信号を表す。なお、２行目、・・・ｍ行目の走査線１０１に対しても、順次、走査信号が供給される。データ線１０２にはデータ信号Ｄ１が与えられる。このデータ信号Ｄ１の電位は容量素子（保持容量）１０８によって保持される。データ信号Ｄ１とは第１列のデータ１０２に対応するデータ信号を表す。なお、２列目・・・ｎ列目のデータ線１０２に対してもそれぞれデータ信号が供給される。電気泳動素子１０４は、画素電極１０５と共通電極１０６との間に電気泳動層１０７を配置して構成されている。このような電気泳動素子１０４をマトリクス状に配列して上記のパネル部１１０が構成されている。画素電極１０５と共通電極１０６との相互間には、画素電極１０５の電極面積、画素電極１０５と共通電極１０６との相互間距離、電気泳動層１０７の誘電率、に応じた大きさの静電容量が形成される。共通電極１０６は、複数の電気泳動素子１０４に共有されており、配線２０１を介して共通電極制御回路１５０に接続されている（図１参照）。配線２０１には共通電極信号ＣＯＭが与えられる。共通電極信号ＣＯＭとしては、例えば相対的に低電位である基準電位又は相対的に高電位のいずれかが印加される。
【００１８】
このような電気泳動表示装置１００において、まず、所定タイミングで全走査線信号がアクティブになると、ｊ番目の走査線１０１に接続されたトランジスタ１０３もオン状態になる。このとき、全データ信号が白あるいは黒のレベルに設定され、共通電極１０６に対向電極変調回路１５０からも所定レベルの信号が印加されて全電気泳動素子が白又は黒表示に設定される。その後、走査線１０１が順次に選択されて画像の書込みが行われる。ｊ番目の走査線１０１に接続されたトランジスタ１０３がオン状態になると、走査線選択に同期してデータ線駆動回路１４０から供給されるデータ信号（画像信号）が画素電極１０５に書き込まれる。このとき、データ信号の電圧レベルで容量阻止０８も充電され、トランジスタ１０３の遮断後も画素（画素電極と共通電極）の電荷保持を図り、電気泳動粒子１０４による画像の維持を図る。各画素がデータ信号の電圧レベルに応じた表示を行うことによって画像が表示される。
【００１９】
本実施形態に係る電気泳動表示装置１００の構成は上記の通りであり、次にその動作について詳述する。
【００２０】
図４は、本実施形態に係る電気泳動表示装置の駆動方法を説明するための図である。具体的には、図４（Ａ）は共通電極１０６の電位を表す波形図、図４（Ｂ）はある１つの画素部１０９の画素電極１０５の電位を表す波形図、図４（Ｃ）は別の１つの画素部１０９の画素電極１０５の電位を表す波形図、である。また、図５は、駆動時の電気泳動表示装置１００のカプセル内の各粒子の様子を模式的に示す図である。なお、以下に説明する駆動制御は、上述したように、トランジスタ１０３、走査線駆動回路１３０、データ線駆動回路１４０及び共通電極制御回路１５０からなる「制御部」により、走査信号、データ信号、共通電極信号が適宜設定され、供給されることによって実現される。
【００２１】
図４（Ａ）〜図４（Ｃ）に示すように、共通電極１０６の電位よりも各画素電極１０５の電位が相対的に高い状態とする第１の電圧書き込みがなされる。本実施形態では、この第１の電圧書き込みは画素部１０９の視認状態を黒色に制御する場合に対応している（図２参照）。ここでは、全画素が黒色に制御されるため、この第１の電圧書き込みを図４においては「全黒」の略称で示す。この様子を示したのが図５（Ｂ）である。ここでは、共通電極１０６の電位が一例として＋１．５Ｖ（基準電位）、各画素電極１０５の電位が一例として＋１０Ｖにそれぞれ設定される。
【００２２】
次いで、図４（Ａ）〜図４（Ｃ）に示すように、共通電極１０６の電位よりも各画素電極１０５の電位が相対的に低い状態とする第２の電圧書き込みがなされる。本実施形態では、この第２の電圧書き込みは画素部１０９の視認状態を白色に制御する場合に対応している（図２参照）。ここでは、全画素が白色に制御されるため、この第２の電圧書き込みを図４においては「全白」の略称で示す。この様子を示したのが図５（Ｃ）である。ここでは、共通電極１０６の電位が一例として＋１０Ｖ、各画素電極１０５の電位が一例として＋１．５Ｖにそれぞれ設定される。
【００２３】
このような第１の電圧書き込み（全黒）とこれに次ぐ第２の電圧書き込み（全白）とが少なくとも１回以上行われる。本実施形態では、図示のように第１の電圧書き込み及び第２の電圧書き込みが４回繰り返される。この駆動制御は、以前にデータ書き込みがなされていたことによる白色、黒色の各粒子の状態（図５（Ａ）参照）をリセットする処理（消去処理）と捉えることもできる。このとき、本実施形態では、第１の電圧書き込みを行う時間の合計値Ｔ１と第２の電圧書き込みを行う時間の合計値Ｔ２との関係が１．５×Ｔ２＞Ｔ１＞０．８×Ｔ２の範囲内で規定される。図４に示す例では、合計値（総時間）Ｔ１＝ｔ１＋ｔ３＋ｔ５＋ｔ７であり、合計値（総時間）Ｔ２＝ｔ２＋ｔ４＋ｔ６＋ｔ８である。各時間Ｔ１、Ｔ２、ｔ１〜ｔ８の数値例については後述する。
【００２４】
次に、図４（Ａ）〜図４（Ｃ）に示すように、共通電極１０６には基準電位（一例として＋１．５Ｖ）を与え、かつ各画素電極１０５には、基準電位より大きい電位（例えば、＋１０Ｖ）又は上記基準電位以下の電位（一例として＋１．５Ｖ。それより小さい電位、例えば０Ｖでもよい。）の何れかを与える。この第３の電圧書き込みは、画像データに応じて各画素部１０９を白色または黒色のいずれかに制御するものであり、図中においては「データ書込み」の略称で示す。この様子を示したのが図５（Ｄ）である。ｔ９は適宜設定される。
【００２５】
その後、各画素電極１０５と共通電極１０６の電位がともに共通の低電位に制御され、上記の第３の電圧書き込みによって書き込まれた画像が保持される。この様子を示したのが図５（Ｅ）である。
【００２６】
以上で１回の画像書き込み制御が完了するが、本実施形態では、図６に示すようにこの画像書き込み制御が周期的に複数回繰り返して行われる。具体的には、図６（Ａ）は共通電極１０６の電位を表す波形図、図６（Ｂ）はある１つの画素部１０９の画素電極１０５の電位を表す波形図、図６（Ｃ）は別の１つの画素部１０９の画素電極１０５の電位を表す波形図、である。この際、各回の画像書き込み制御を周期的に繰り返すときの周期ｔ１０は、一例として１０秒間程度に規定される。
【００２７】
図７は、本実施形態に係る駆動方法によって電気泳動表示装置１００を駆動した場合における経過時間に伴う反射率の変化を計測した結果を示すグラフである。この反射率特性は、第１の電圧書き込みの総時間Ｔ１と第２の電圧書き込みの総時間Ｔ２との関係を以下の５条件にそれぞれ設定して計測されたものである。使用した電気泳動表示装置１００の詳細条件は上記した通りである。以下の条件１〜条件３においては、最初の第１の電圧書き込み（全黒）の時間がそれ以降における第１の電圧書き込みの時間に比べて２桁大きく、また、最後の第２の電圧書き込み（全白）の時間がそれ以前における第２の電圧書き込みの時間に比べて２桁大きく設定されている。
【００２８】
（条件１）Ｔ１＝０．８×Ｔ２
内訳；
Ｔ１＝ｔ１＋ｔ３＋ｔ５＋ｔ７＝１１００＋４５＋４５＋１０＝１２００（ミリ秒）
Ｔ２＝ｔ２＋ｔ４＋ｔ６＋ｔ８＝１０＋４５＋４５＋１４００＝１５００（ミリ秒）
【００２９】
（条件２）Ｔ１＝１．５×Ｔ２
内訳；
Ｔ１＝ｔ１＋ｔ３＋ｔ５＋ｔ７＝２１５０＋４５＋４５＋１０＝２２５０（ミリ秒）
Ｔ２＝ｔ２＋ｔ４＋ｔ６＋ｔ８＝１０＋４５＋４５＋１４００＝１５００（ミリ秒）
【００３０】
（条件３）Ｔ１＝Ｔ２
内訳；
Ｔ１＝ｔ１＋ｔ３＋ｔ５＋ｔ７＝１４００＋４５＋４５＋１０＝１５００（ミリ秒）
Ｔ２＝ｔ２＋ｔ４＋ｔ６＋ｔ８＝１０＋４５＋４５＋１４００＝１５００（ミリ秒）
【００３１】
（条件４）Ｔ１＝０．５×Ｔ２
内訳；
Ｔ１＝ｔ１＋ｔ３＋ｔ５＋ｔ７＝３５０＋３５０＋２０＋４００＝１１２０（ミリ秒）
Ｔ２＝ｔ２＋ｔ４＋ｔ６＋ｔ８＝７００＋７００＋４０＋８００＝１５００（ミリ秒）
【００３２】
（条件５）Ｔ１＝２×Ｔ２
内訳；
Ｔ１＝ｔ１＋ｔ３＋ｔ５＋ｔ７＝７００＋７００＋４０＋８００＝２２４０（ミリ秒）
Ｔ２＝ｔ２＋ｔ４＋ｔ６＋ｔ８＝３５０＋３５０＋２０＋４００＝１１２０（ミリ秒）
【００３３】
図７によれば、第２の電圧書き込み（全白）の総時間Ｔ２を第１の電圧書き込み（全黒）の総時間Ｔ１の２倍とした場合（条件４）においては、白色表示の反射率が時間経過とともに低下することが分かる。また、図７によれば、第２の電圧書き込み（全白）の総時間Ｔ２を第１の電圧書き込み（全黒）の総時間Ｔ１の０．５倍とした場合（条件５）においては、黒色表示の反射率が時間経過とともに上昇することが分かる。よって、条件４、条件５においては、白色表示と黒色表示との相対関係で決まるコントラストが低下する。これに対して、条件１〜条件３においては上記のような不都合がなく、時間が経過した後にあってもコントラストが保たれる。各条件における２時間経過後のコントラスト特性を示したのが図８である。図８では、Ｔ１とＴ２との関係を規定するためにＴ２に乗算される数を横軸とし、コントラスト（任意単位）を縦軸としている。図８から、条件１〜条件３の間においてはコントラストが高い状態で保たれるが、この条件を外れるとコントラストが低下することが分かる。
【００３４】
以上のように本実施形態によれば、第１の電圧書き込みの総時間Ｔ１と第２の電圧書き込みの総時間Ｔ２との関係を上述のように適切に規定して各々の電圧書き込みを少なくとも１回以上行い、その後に第３の電圧書き込み（画像書き込みに対応）を行うようにする。これにより、画像書き込みを周期的に繰り返し行った場合においても良好なコントラスト特性を得られる電気泳動表示装置又はその駆動方法が提供される。
【００３５】
図９は、本発明の電気泳動表示装置を適用した電子機器の具体例を説明する斜視図である。図９（Ａ）は、電子機器の一例である電子ブックを示す斜視図である。この電子ブック１０００は、ブック形状のフレーム１００１と、このフレーム１００１に対して回動自在に設けられた（開閉可能な）カバー１００２と、操作部１００３と、本実施形態の電気泳動表示装置によって構成された表示部１００４と、を備えている。図９（Ｂ）は、電子機器の一例である電子ペーパーを示す斜視図である。この電子ペーパー１２００は、紙と同様の質感および柔軟性を有するリライタブルシートで構成される本体部１２０１と、本実施形態の電気泳動表示装置によって構成された表示部１２０２を備えている。本実施形態の電気泳動表示装置を用いて表示部が構成されることにより、使用時において時間が経過してもコントラスト特性が低下することなく、良好な表示が得られる電子機器が実現される。
【００３６】
なお、本発明は上述した実施形態の内容に限定されるものではなく、本発明の要旨の範囲内において種々に変形して実施することが可能である。例えば、上述した実施形態では、マトリクス状に配列された画素部を備える電気泳動表示装置について説明していたが、これ以外の態様の電気泳動表示装置（例えばセグメント表示型等）についても本発明を適用することが可能である。
【図面の簡単な説明】
【００３７】
【図１】電気泳動表示装置の全体構成を示すブロック図である。
【図２】電気泳動表示装置の構造を説明する模式断面図である。
【図３】各画素部の詳細構成を示す回路図である。
【図４】電気泳動表示装置の駆動方法を説明するための図である。
【図５】電気泳動表示装置のカプセル内の各粒子の様子を模式的に示す図である。
【図６】電気泳動表示装置の駆動方法を説明するための図である。
【図７】電気泳動表示装置の反射率の変化を計測した結果を示すグラフである。
【図８】電気泳動表示装置のコントラスト特性を示した図である。
【図９】電気泳動表示装置を適用した電子機器の具体例を説明する斜視図である。
【符号の説明】
【００３８】
１００…電気泳動表示装置、  １０１…走査線、  １０２…データ線、  １０３…トランジスタ、  １０４…電気泳動素子、  １０５…画素電極、  １０６…共通電極、  １０７…電気泳動層、  １０８…容量素子、  １０９…画素部、  １１０…パネル部、  １３０…走査線駆動回路、  １４０…データ線駆動回路、  １５０…共通電極制御回路、  １９０…コントローラ
【図１】
2008225100.tif 000003
【図２】
2008225100.tif 000004
【図３】
2008225100.tif 000005
【図４】
2008225100.tif 000006
【図５】
2008225100.tif 000007
【図６】
2008225100.tif 000008
【図７】
2008225100.tif 000009
【図８】
2008225100.tif 000010
【図９】
2008225100.tif 000011